(57)【要約】  被験者の身体に皮下移植された動静脈透析アクセスグラフトの透析ニードルを用いてカニューレ挿入を誘導するための装置。誘導装置は、長手縁部内で終端するベース部分を含む細長本体部材を含み、ベース部分の長手縁部間の距離は、アクセスグラフトの横寸法に実質的に等しく、細長管状スリーブが、本体部材を受け入れるように構成された長手寸法及び横寸法を有するポケットを定める。本体部材は、ベース部分の内面が、ニードル挿入の場所を誘導するためにグラフトのカニューレ挿入ポイントに位置合わせされるように、皮下アクセスグラフトに隣接して固定されるようにスリーブのポケットに受け入れられるようになっている。【選択図】図１
2020512916.tif 000002
【特許請求の範囲】
【請求項１】
動静脈透析グラフトが、長手流路を定める可撓性導管を含み、該可撓性導管が、被験者の動脈に接続するように構成された第１の末端部分と被験者の静脈に接続するように構成された第２の末端部分とを有し、そのために血液が、該導管の該長手流路を通って該第１の末端部分から該第２の末端部分まで流れ、カニューレ挿入チャンバが、カニューレ挿入ポートを定め、該導管が、該カニューレ挿入ポートを通して挿入された透析ニードルを受け入れるために該カニューレ挿入チャンバを通って延びる、被験者の身体に皮下移植された動静脈透析アクセスグラフトの透析ニードルを用いてカニューレ挿入を誘導するための装置であって、
長手軸線と内面とを有する細長本体部材であって、該本体部材が、長手縁部内で終端するベース部分を含み、該ベース部分の該長手縁部間の距離が、前記カニューレ挿入チャンバの横寸法に実質的に等しい前記細長本体部材と、
前記ベース部分の前記長手縁部から延びて長手縁部内で終端する脚であって、該ベース部分及び脚が、前記カニューレ挿入チャンバを受け入れるための開口長手チャネルを定める前記脚と、
を含み、
前記本体部材は、該本体部材を通して前記カニューレ挿入チャンバの中へのニードル挿入の場所を誘導するように前記ベース部分の前記内面を前記カニューレ挿入ポートと位置合わせするために前記脚が該カニューレ挿入チャンバと作動的に係合するように、該皮下カニューレ挿入チャンバに隣接して固定されるようになっている、
ことを特徴とする誘導するための装置。
【請求項２】
前記本体部材は、第１の端部及び第２の端部を有し、
前記本体部材は、前記カニューレ挿入チャンバの前記第１の端部から前記第２の端部まで延びるようになっている、
ことを特徴とする請求項１に記載の誘導装置。
【請求項３】
前記本体部材は、ニードルを通すために該本体部材の前記内面の中に開く少なくとも１つの通路を有することを特徴とする請求項１に記載の誘導装置。
【請求項４】
前記カニューレ挿入チャンバ及び前記本体部材の少なくとも一部分が、実質的に磁性又は常磁性の材料を含むことを特徴とする請求項１に記載の誘導装置。
【請求項５】
動静脈透析グラフトが、長手流路を定める可撓性導管を含み、該可撓性導管が、被験者の動脈に接続するように構成された第１の末端部分と被験者の静脈に接続するように構成された第２の末端部分とを有し、そのために血液が、該導管の該長手流路を通って該第１の末端部分から該第２の末端部分まで流れ、カニューレ挿入チャンバが、該第１の末端部分と該第２の末端部分の間にカニューレ挿入ポートを定め、該導管が、該カニューレ挿入ポートを通して挿入された透析ニードルを受け入れるために該カニューレ挿入チャンバを通って延びる、被験者の身体に皮下移植された動静脈透析アクセスグラフトの透析ニードルを用いてカニューレ挿入を誘導するための装置であって、
長手軸線を有する細長管状スリーブであって、前記カニューレ挿入チャンバの長手寸法及び横寸法に実質的に等しいようになった長手寸法及び横寸法を有する開口部を定める前記細長管状スリーブ、
を含み、
前記スリーブは、前記開口部が前記カニューレ挿入ポートの中へのニードル挿入の場所を誘導するために前記カニューレ挿入チャンバを取り囲むように前記アクセスグラフトの該皮下カニューレ挿入チャンバに隣接して前記被験者の前記身体を受け入れるように構成される、
ことを特徴とする誘導するための装置。
【請求項６】
前記スリーブの材料が、フィルム、紙、織布、又は不織布から選択されることを特徴とする請求項５に記載の誘導装置。
【請求項７】
動静脈透析グラフトが、長手流路を定める可撓性導管を含み、該可撓性導管が、被験者の動脈に接続するように構成された第１の末端部分と被験者の静脈に接続するように構成された第２の末端部分とを有し、そのために血液が、該導管の該長手流路を通って該第１の末端部分から該第２の末端部分まで流れ、カニューレ挿入チャンバが、該第１の末端部分と該第２の末端部分の間にカニューレ挿入ポートを定め、該導管が、該カニューレ挿入ポートを通して挿入された透析ニードルを受け入れるために該カニューレ挿入チャンバを通って延びる、被験者の身体に皮下移植された動静脈透析アクセスグラフトの透析ニードルを用いてカニューレ挿入を誘導するための装置であって、
長手軸線と内面とを有する細長本体部材であって、該本体部材が、長手縁部内で終端するベース部分を含み、該ベース部分の該長手縁部間の距離が、前記カニューレ挿入チャンバの横寸法に実質的に等しい前記細長本体部材と、
長手軸線を有する細長管状スリーブであって、前記本体部材を受け入れるように構成された長手寸法及び横寸法を有するポケットを定める前記細長管状スリーブと、
を含み、
前記本体部材は、前記ベース部分の前記内面が、ニードル挿入の場所を誘導するために前記カニューレ挿入ポートと位置合わせされるように、前記皮下カニューレ挿入チャンバに隣接して固定されるように前記スリーブの前記ポケットに受け入れられるようになっている、
ことを特徴とする誘導するための装置。
【請求項８】
キットであって、
被験者の身体に皮下移植された動静脈透析アクセスグラフトにアクセスするための少なくとも１つの透析ニードルであって、該動静脈透析グラフトが、長手流路を定める可撓性導管を含み、該可撓性導管が、該被験者の動脈に接続するように構成された第１の末端部分と該被験者の静脈に接続するように構成された第２の末端部分とを有し、そのために血液が、該導管の該長手流路を通って該第１の末端部分から該第２の末端部分まで流れ、カニューレ挿入チャンバが、カニューレ挿入ポートを定め、該導管が、該カニューレ挿入ポートを通して挿入された該ニードルを受け入れるために該カニューレ挿入チャンバを通って延びる前記少なくとも１つの透析ニードルと、
分配容器と、
複数の細長本体部材であって、各本体部材が、長手軸線及び内面を有し、該本体部材が、長手縁部内で終端するベース部分を含み、該ベース部分の該長手縁部間の距離が、前記カニューレ挿入チャンバの横寸法に実質的に等しい前記複数の細長本体部材と、
を含み、
前記本体部材は、ニードル挿入の場所を誘導するために前記ベース部分の前記内面を前記カニューレ挿入ポートと位置合わせするために脚が前記カニューレ挿入チャンバと作動的に係合するように、該皮下カニューレ挿入チャンバに隣接して固定されるようになっており、
各本体部材が、ニードルを通すために該本体部材の前記内面の中に開く少なくとも１つの通路を有し、該本体部材の該ニードル通路は、いずれの他の本体部材のニードル通路とも異なる位置にある、
ことを特徴とするキット。
【発明の詳細な説明】
【技術分野】
【０００１】
〔相互参照〕
【０００２】
この出願は、発明者としてＳｈａｗｎ  Ｍ．Ｇａｇｅ及びＪｅｆｆｒｅｙ  Ｈ．Ｌａｗｓｏｎの名前が挙がる「血管アクセスグラフトのカニューレ挿入のための装置及び方法」という名称の２０１７年３月３１日出願の米国仮特許出願第６２／４７９，７９１号に関連する。この米国仮特許出願の内容は、その全体が引用によって本明細書に組み込まれ、この米国仮特許出願の出願日付の利益は、出願日付の利益に関するそのような主張によって法律的に果たされる全ての目的に対してこれにより主張するものである。
【０００３】
血液透析と血管アクセスを必要とする他の手順とを受け入れる手段として使用するための外科的に生成された血管アクセスのニードルアクセスのための装置及び方法、より具体的には、移植後にカニューレ挿入部位の位置付けを可能にする動静脈グラフト又は動静脈フィステルの血管アクセスのための装置及び方法を説明する。
【背景技術】
【０００４】
血液透析は、末期腎疾患の患者のための生命維持治療である。血液透析は、大量の血液が身体から取り出され、廃棄物を除去する機械を通じて濾過され、次に身体の中に戻される処理である。
【０００５】
透析中に血液が取り出されて戻されることになる身体上の血管アクセス部位は、血液透析を開始する前に準備される。動静脈フィステル（「ＡＶＦ」）の生成は、静脈が動脈に直接に接続される外科的手順で達成される。動脈と静脈の間の接続は、合成材料から作られて皮膚のすぐ下に移植される動静脈グラフト（「ＡＶＧ」）を使用して形成することができる。ＡＶＧのための配置部位は、以下に限定されないが、直線又はループ構成のいずれかで前腕、上腕、首、胸、及び大腿部を含む。外科的に位置決めされた状態で、ＡＶＧは、血液透析中に血液アクセスのために繰り返し使用することができる導管になる。ニードルは、皮膚を通してグラフトをカニューレ挿入し、グラフトの壁を直接に穿刺するのに使用される。従来の血液透析では、２つのカニューレがアクセスグラフトに置かれ、１つのニードル穿刺が動脈側のグラフト壁に作られ、別のニードル穿刺が静脈側に作られる。透析中に、血液は、グラフトの動脈側から引き出され、血液透析機を通過し、次にグラフトの静脈側に挿入された第２のニードルを通じて患者に戻される。
【０００６】
血液透析手順での重要な段階は、ニードル穿刺を行うためのグラフト内の適正な位置を「見つけること」である。更に、従来の透析プロトコルは、１週間に少なくとも３回透析手順を患者に受けさせることを要求する。その結果、皮膚及び下に重なる組織は、移植されたＡＶＧの中への浸入を得るために毎週何度も穿刺される。血液透析のためにＡＶＦ又はＡＶＧをカニューレ挿入する技術は、かなりの技能を必要とする。血管アクセスは、多くの場合に皮膚の面の下の数センチメートルに位置し、かつ目視検査によって位置付けることはできない。医療技術者は、触診によってＡＶＦ又はＡＶＧを位置付けることを要求され、これは、極度に困難である可能性がある。血管アクセスの穿刺は、間違い及び合併症を起こしやすい。不正確に行われた穿刺は、アクセスの破裂、出血、血腫形成、仮性動脈瘤形成、激痛、又はグラフトの内腔内の組織化された血栓の発症を促進する場合がある。そのような血塊の形成は、多発性グラフト血栓症をもたらす場合があるだけでなく、最終的にグラフト不全に至る場合がある。完全に血管アクセスを欠くこと又はＡＶＦ又はＡＶＧデバイスの内腔内のニードルの不適切な位置決めは、グラフトが利用できる状態に留まる時間に悪影響を及ぼす２つの禁忌である。皮膚を通して触診する従来の方法を単に使用することによってカニューレ挿入区域を位置付けることは、信頼性を欠く場合がある。
【先行技術文献】
【特許文献】
【０００７】
【特許文献１】米国特許第９，５８５，９９８号明細書
【特許文献２】米国公開出願第２０１４／０３３６６８２号明細書
【特許文献３】米国特許第４，２６８，９８３号明細書
【特許文献４】米国特許第５，３５８，２８１号明細書
【特許文献５】米国特許第４，１２１，００３号明細書
【特許文献６】米国特許第５，６３３，０５８号明細書
【非特許文献】
【０００８】
【非特許文献１】Ｊｉ他（２００７）
【発明の概要】
【発明が解決しようとする課題】
【０００９】
以上の理由により、移植の後の血管アクセスのアクセス領域の正確な識別を含む血管アクセスグラフト又はフィステルの適正なカニューレ挿入のための装置及び方法に対する必要性が存在する。新規な装置は、皮膚を通した挿入を通じて血管アクセスに導入された透析ニードル及びカニューレなどの移植ＡＶＦ又はＡＶＧの中への正確かつ再現可能な侵入を血管アクセスのユーザが容易にすることを可能にすることにより、移植ＡＶＦ又はＡＶＧデバイスへのアクセスを改善すべきである。
【課題を解決するための手段】
【００１０】
被験者の身体に皮下移植された動静脈透析アクセスグラフトの透析ニードルを用いてカニューレ挿入を誘導するための装置を提供する。動静脈透析グラフトは、長手流路を定める可撓性導管を含み、それは、被験者の動脈に接続するように構成された第１の末端部分と被験者の静脈に接続するように構成された第２の末端部分とを有し、そのために血液は、導管の長手流路を通って第１の末端部分から第２の末端部分まで流れる。カニューレ挿入チャンバが、カニューレ挿入ポートを定め、導管は、カニューレ挿入ポートを通して挿入されたニードルを受け入れるためにカニューレ挿入チャンバを通って延びる。誘導装置は、長手軸線と内面とを有する細長本体部材を含む。本体部材は、長手縁部内で終端するベース部分を含む。ベース部分の長手縁部間の距離は、カニューレ挿入チャンバの横寸法に実質的に等しい。脚が、ベース部分の長手縁部から延び、脚は、長手縁部内で終端する。ベース部分及び脚は、カニューレ挿入チャンバを受け入れるための開口長手チャネルを定める。本体部材は、本体部材を通ってカニューレ挿入チャンバの中へのニードル挿入の場所を誘導するようにベース部分の内面をカニューレ挿入ポートと位置合わせするために脚がカニューレ挿入チャンバと作動的に係合するように、皮下カニューレ挿入チャンバに隣接して固定されるようになっている。
【００１１】
一態様では、本体部材は、第１の端部及び第２の端部を有し、本体部材は、カニューレ挿入チャンバの第１の端部から第２の端部まで延びるようになっている。本体部材は、ニードルを通すために本体部材の内面の中に開く少なくとも１つの通路を有することができる。
【００１２】
別の態様では、カニューレ挿入チャンバ及び本体部材の少なくとも一部分は、実質的に磁性又は常磁性の材料を含む。
【００１３】
別の実施形態では、被験者の身体に皮下移植された動静脈透析アクセスグラフトの透析ニードルを用いてカニューレ挿入を誘導するための装置を提供する。動静脈透析グラフトは、長手流路を定めて被験者の動脈に接続するように構成された第１の末端部分と被験者の静脈に接続するように構成された第２の末端部分とを有する可撓性導管を含み、そのために血液は、導管の長手流路を通って第１の末端部分から第２の末端部分まで流れる。カニューレ挿入チャンバが、第１の末端部分と第２の末端部分の間にカニューレ挿入ポートを定め、導管は、カニューレ挿入ポートを通して挿入されたニードルを受け入れるためにカニューレ挿入チャンバを通って延びる。誘導装置は、長手軸線を有する細長管状スリーブを含む。スリーブは、カニューレ挿入チャンバの長手寸法及び横寸法に実質的に等しいようになった長手寸法及び横寸法を有する開口部を定める。スリーブは、カニューレ挿入ポートの中へのニードル挿入の場所を誘導するように開口部がカニューレ挿入チャンバを取り囲むように、アクセスグラフトの皮下カニューレ挿入チャンバに隣接して被験者の身体を収容するように構成される。
【００１４】
一態様では、スリーブの材料は、フィルム、紙、織布、又は不織布から選択される。
【００１５】
更に別の実施形態では、被験者の身体に皮下移植された動静脈透析アクセスグラフトの透析ニードルを用いてカニューレ挿入を誘導するための装置を提供する。動静脈透析グラフトは、長手流路を定めて被験者の動脈に接続するように構成された第１の末端部分と被験者の静脈に接続するように構成された第２の末端部分とを有する可撓性導管を含み、そのために血液は、導管の長手流路を通って第１の末端部分から第２の末端部分まで流れる。カニューレ挿入チャンバが、第１の末端部分と第２の末端部分の間にカニューレ挿入ポートを定める。導管は、カニューレ挿入ポートを通して挿入されたニードルを受け入れるためにカニューレ挿入チャンバを通って延びる。誘導装置は、長手軸線と内面とを有する細長本体部材を含む。本体部材は、長手縁部内で終端するベース部分を含み、ベース部分の長手縁部間の距離は、カニューレ挿入チャンバの横寸法に実質的に等しい。細長管状スリーブが、長手軸線を有し、スリーブは、本体部材を受け入れるように構成された長手寸法及び横寸法を有するポケットを定める。本体部材は、本体部材を通ってカニューレ挿入チャンバの中へのニードル挿入の場所を誘導するためにベース部分の内面がカニューレ挿入ポートと位置合わせするように、皮下カニューレ挿入チャンバに隣接して固定されるようにスリーブのポケットに受け入れられるようになっている。
【００１６】
キットも、同じく提供され、かつ被験者の身体に皮下移植された動静脈透析アクセスグラフトにアクセスするための少なくとも１つの透析ニードルを含む。動静脈透析グラフトは、長手流路を定めて被験者の動脈に接続するように構成された第１の末端部分と被験者の静脈に接続するように構成された第２の末端部分とを有する可撓性導管を含み、そのために血液は、導管の長手流路を通って第１の末端部分から第２の末端部分まで流れる。カニューレ挿入チャンバが、カニューレ挿入ポートを定め、導管は、カニューレ挿入ポートを通して挿入されたニードルを受け入れるためにカニューレ挿入チャンバを通って延びる。分配容器が、長手軸線と内面とを各本体部材が有する複数の細長本体部材を収容するために設けられる。本体部材は、長手縁部内で終端するベース部分を含み、ベース部分の長手縁部間の距離は、カニューレ挿入チャンバの横寸法に実質的に等しい。本体部材は、ニードル挿入の場所を誘導するようにベース部分の内面をカニューレ挿入ポートと位置合わせするために脚がカニューレ挿入チャンバと作動的に係合するように、皮下カニューレ挿入チャンバに隣接して固定されるようになっている。各本体部材は、ニードルを通すために本体部材の内面の中に開く少なくとも１つの通路を有し、本体部材のニードル通路は、いずれの他の本体部材のニードル通路とも異なる位置にある。
【図面の簡単な説明】
【００１７】
本発明のより完全な理解のために、添付図面に示して以下に説明する実施形態をここで参照しなければならない。
【００１８】
【図１】カニューレ挿入チャンバを含む動静脈グラフトのカニューレ挿入のためのアプリケータデバイスの実施形態の分解斜視図である。
【図２】皮下カニューレ挿入チャンバ上の位置にある図１に示すようなアプリケータデバイスの縦断面図である。
【図３】図１に示すようなアプリケータデバイスの上部及び底部斜視図、側部及び端部立面面、及び上部及び底部平面図である。
【図４】図１に示すようなカニューレ挿入チャンバを含む動静脈グラフトのカニューレ挿入のためのアプリケータデバイスの第２の実施形態の上部及び底部斜視図、側部及び端部立面面、及び上部及び底部平面図である。
【図５Ａ】カニューレ挿入チャンバを含む動静脈グラフトの一部分の実施形態の斜視図である。
【図５Ｂ】図５Ａに示すようなカニューレ挿入チャンバを含む動静脈グラフトのカニューレ挿入のためのアプリケータデバイスの第３の実施形態の分解斜視図である。
【図６】順次離間したニードル通路が貫通する複数のアプリケータデバイスの斜視図である。
【図７】ニードル通路がアプリケータデバイスを通して斜めに角度の付いた図６に示すような複数のアプリケータデバイスの斜視図である。
【図８Ａ】包装されたアプリケータデバイスのための分配カートリッジの斜視図である。
【図８Ｂ】包装されたアプリケータデバイスのための分配カートリッジの斜視図である。
【図９】１対のカニューレ挿入チャンバを含む動静脈グラフトのカニューレ挿入を誘導するための１対の接着剤アプリケータデバイスの実施形態の上部平面図である。
【図１０】１対のカニューレ挿入チャンバを含む皮下動静脈グラフトを含む腕上の位置にある図９に示すような１対の接着剤アプリケータデバイスの上部平面図である。
【図１１Ａ】動静脈グラフトのカニューレ挿入のためのアプリケータデバイス及びスリーブの第４の実施形態の斜視図である。
【図１１Ｂ】動静脈グラフトのカニューレ挿入のためのアプリケータデバイス及びスリーブの第４の実施形態の斜視図である。
【図１２】血液透析を達成するための１対のカニューレ挿入チャンバ（図示せず）の各々を含む皮下動静脈グラフトのカニューレ挿入を誘導するための接着剤アプリケータデバイスの実施形態の上部平面図である。
【図１３】仮想線に示す１対のカニューレ挿入チャンバの各々を含む皮下動静脈グラフトのカニューレ挿入を誘導するための脆弱な接着剤アプリケータデバイスの実施形態の上部平面図である。
【図１４】仮想線に示す１対のカニューレ挿入チャンバの各々を含む皮下動静脈グラフトのカニューレ挿入を誘導するための脆弱な接着剤アプリケータデバイスの別の実施形態の上部平面図である。
【図１５Ａ】皮下動静脈グラフトのカニューレ挿入に使用するための可撓性ストラップの斜視図である。
【図１５Ｂ】皮下動静脈グラフトのカニューレ挿入に使用するための可撓性ストラップの立面面である。
【図１６】皮下動静脈グラフト（図示せず）のカニューレ挿入を誘導するための腕上のアプリケータデバイス上の定位置にある図１５Ａ及び１５Ｂに示すような１対のストラップの上部平面図である。
【図１７】仮想線に示す１対のカニューレ挿入チャンバの各々を含む皮下動静脈グラフトのカニューレ挿入を誘導するための腕上の定位置にある図１５Ａ及び１５Ｂに示すような１対のストラップの上部平面図である。
【図１８】仮想線に示す１対のカニューレ挿入チャンバの各々を含む皮下動静脈グラフトのカニューレ挿入を誘導するための腕上の定位置にあるスリーブの実施形態の上部平面図である。
【図１９】皮下動静脈グラフトのカニューレ挿入を誘導するためのアプリケータデバイスを受け入れるためのポケットを示す図１８に示すようなスリーブの接近斜視図である。
【図２０】アプリケータデバイスを含む図１８に示すようなスリーブの斜視図である。
【発明を実施するための形態】
【００１９】
本明細書に使用される場合に用語「血管アクセス」は、血液が動脈から静脈に流れる際に通る動脈及び静脈系の間の意図する外科的接続を意味するのに使用される。上述のように、これは、静脈を動脈に直接に接続することにより（ＡＶＦ）、又は動脈及び静脈系を接続するために合成又は自己移植導管を利用することにより（ＡＶＧ）達成することができる。当業技術で公知であり、かつ本発明を実施するのに利用することができる多くのタイプのＡＶＧ及び関連の構成要素があるので、これらの構成要素のより詳細な説明は必要ではない。本発明がいずれの特定のタイプのＡＶＧにも向けられないことは理解される。本明細書に説明する血管アクセスグラフト装置及び方法は、血管アクセスを必要とする医療手順に使用するためのものである。従って、本明細書に説明する特徴は、以下に限定されないが、その内容がこれによりその全体が引用によって本明細書に組み込まれる米国特許第９，５８５，９９８号明細書によって説明されるＡＶＧを含むＡＶＧのあらゆる従来の血管アクセスグラフトと共に使用することができる。類似の用途は、その内容が同じく引用によってその全体が本明細書に組み込まれる米国特許公開出願第２０１４／０３３６６８２号明細書に図示かつ説明されている。従って、構成要素の全ての機能及びグラフトの使用の詳細説明は、当業者による本発明の説明の理解に関して不要と考えられる。
【００２０】
ある一定の専門用語は、単に便宜的に本明細書に使用され、制限すると取るべきではない。例えば、「上側」、「下側」、「左」、「右」、「水平」、「垂直」、「上向き」、「下向き」、「上部」、及び「底部」のような単語は、図に示す構成を単に説明するものである。実際に、構成要素は、あらゆる方向に向けることができ、専門用語は、従って、それ以外の定めがない限りそのような変形を包含することを理解しなければならない。単語「内部」及び「外部」は、コア及びその指定された部分の幾何学中心にそれぞれ向う及びそこから離れる方向を指す。専門用語は、具体的に上述した単語、その派生語、及び類似の意味の単語を含む。
【００２１】
類似の参照番号がいくつかの図を通して対応する又は類似の要素を指定する図面をここで参照すると、動脈を静脈に接続するための血管アクセスグラフトが図１に示されており、全体が４０で指定されている。血管アクセスグラフト４０は、血液のような流体を誘導するための生体適合性材料の管状部分４２を含む。従来通り、管状部分４２は、動脈に第１の端部で吻合され、第２の端部（図示せず）で静脈に吻合される。１対の離間したカニューレ挿入チャンバ４４は、血管アクセスグラフト４０の動脈側及び静脈側と流体連通する管状部分の長さに沿って中間に配置される。
【００２２】
移植された血管アクセスグラフト４０のカニューレ挿入のためのニードル挿入場所を識別するのに使用するためのアプリケータデバイスも図１に示されており、全体が５０で指定されている。アプリケータデバイス５０は、カニューレ挿入チャンバ４４の予め決められた部分の中へのニードルの高度に局在化した正確な送出を可能にする血管アクセスグラフト４０のカニューレ挿入チャンバ４４に対して適応可能である。本明細書に使用するような用語「適応可能」は、カニューレ挿入チャンバ４４に対してアプリケーションデバイス５０を位置決めするためのあらゆる対応する固定又は位置合わせ手段を含む。すなわち、アプリケータデバイスを広範囲の血管アクセスグラフトに位置合わせするのに使用することができる適応化の複数の手段が予想されることは理解される。
【００２３】
アプリケータデバイスは、以下に限定されないが、熱可塑性プラスチック、熱硬化性ポリマー、エラストマー、ゴム、又は織又は不織複合材料を含む合成又は天然材料のいずれかで形成することができる。アプリケータデバイスは、例えば、ポリマープラスチック発泡体（オープンセル発泡体を含む）、織又は不織複合材、又はそれらの混合物などのあらゆる適切な成形形態とすることができる。特に、好ましいアプリケータデバイスは、従って、例えば、ナイロン、ＵＨＭＷポリエチレンを含むポリエチレンのようなポリオレフィン、ＰＥＥＫ（ポリエーテルエーテルケトン）、ポリスルホン、ポリプロピレン、エチレンプロピレンコポリマー、及びエチレンブタジエンコポリマー、ポリウレタン、ポリウレタン発泡体、ポリスチレン、可塑性ポリ塩化ビニル、ポリエチレン、デルリンポリアセタール、及びポリアミド、並びにホモポリマー及び上述のコポリマーから調製することができる。アプリケータデバイスはまた、圧縮された時に止血のための圧力を与えるゲル状物質で作ることができる。アプリケータは、カニューレ挿入及び／又はニードル取り出しの処理を支援するように１又は２以上の薬剤でドープすることができる。例えば、リドカインは、ニードル穿刺の疼痛を最小にするのを補助するために追加することができ、及び／又は局所止血薬は、出血の停止を支援するように組み込むことができる。アプリケータとの薬剤組合せの多くの組合せを予想することができる。アプリケータデバイスは、必要に応じて様々な形状を取り、様々な血管アクセスグラフト及びカニューレ挿入チャンバを受け入れるかつ適応することができることは理解される。ニードル通路は、アプリケータデバイスの材料がニードルによる貫通を許すには硬すぎる場所に設けることができることは更に理解される。
【００２４】
一態様では、アプリケータデバイス５０は、パズルピースの方式で移植グラフトの上に取り付けることにより、移植血管アクセスグラフト４０に対して適応可能であるように構成することができる。この実施形態では、図３に示すような「取り付けた」アプリケータデバイス５０は、実質的に長円形のプロファイルを有し、かつ長手軸線を有する実質的に主要なベース部分５２を含む細長部材である。ベース部分５２は、ほぼ平面の側壁５４又は脚の間を張り、そのうちの２つは、ベース部分５２の各側の長手縁部から垂れる。脚５４は、ベース部分５２の縁部の長さに沿ってほぼ垂直に垂れる。脚５４の各々は、長手縁部内で終端する。ベース部分５２及び脚５４は、開口長手チャネルを定める。図１及び２を参照すると、この構成を有するアプリケータデバイス５０は、アプリケータデバイス５０の脚５４を受け入れるための離間したノッチ４８を定める上側周囲リム４６を有するカニューレ挿入チャンバ４４を含むＡＶＧ４０に対して適応可能である。使用において、アプリケータデバイス５０は、皮膚を間に捕捉した状態で脚５４がノッチ４８に嵌合するようにカニューレ挿入チャンバ４４の上にデバイスを位置決めすることによってＡＶＧ４０に対して適応される。この配置では、アプリケータデバイス５０は、カニューレ挿入チャンバ４４の位置を示し、ユーザは、次に、ニードル挿入のためのカニューレ挿入チャンバの長さに沿った望ましい場所を選択することができる。
【００２５】
図２を参照すると、使用において、血管アクセスグラフトは、一端が動脈の中に移植されて他端が静脈の中に移植された状態で患者の皮膚の下に移植され、それによって流体連続性が動脈から管状要素の内腔を通って静脈の中に確立される。血管アクセスグラフト４０を使用する患者に対して血液透析を行う方法では、血管アクセスグラフト４０の内腔は、血液が内腔から血液透析濾過ユニットの中に迂回され、濾過され、次に内腔の中に戻すことができるように、ニードルを通じて血液透析濾過ユニットに接続される。血管アクセスグラフトは、透析以外の用途を有する場合があることは理解される。そのような用途は、患者が治療液の頻繁な血管注射又は点滴を必要とする状況を含む。全ての場合で、アプリケータデバイス、スティッカー、ストラップ、及びスリーブの使用は、典型的に「外れた」ニードル穿刺の数を大きく低減し、一般的に、その中へのニードルカニューレ挿入が望ましい移植されたデバイスを識別する際により高い精度を容易にする。
【００２６】
アプリケータデバイス５０は、脚５４がカニューレ挿入チャンバ４４内でノッチ４８に対応するようにカニューレ挿入チャンバ４４に手動で位置合わせされる。アプリケータデバイス５０は、次に、脚５４がッチ４８で係合するようにカニューレ挿入チャンバ４４に向う方向に押圧される。デバイス５０の下向き移動中に、脚５４は、カニューレ挿入チャンバ４４の周囲リム４６内の長手ノッチ４８に摺動可能に受け入れられる。アプリケータデバイス５０は、従って、デバイスが図１に示すようにカニューレ挿入チャンバ４４の上に位置付けられるような位置に位置合わせされる。ユーザは、次に、１又は２以上のニードルをカニューレ挿入チャンバ４４の中に挿入して血液透析を開始する。ニードル挿入は、ユーザがユーザにとって最小の失血及び最大の利益を有して可能な限り迅速かつ正確にそれ行うことができるように容易にされる。
【００２７】
「取り付けた」アプリケータデバイスの別の実施形態は図４に示されており、全体が６０で指定されている。前の実施形態でのように、アプリケータデバイス６０は、実質的に長円形のプロファイルを有する細長部材であり、かつ長手軸線を有する実質的に主要なベース部分６２含む。この実施形態では、ベース部分６２は、ベース部分６２の各側の長手縁部に沿って形成された離間したノッチ６４を定める。この構成を有するアプリケータデバイス６０は、アプリケータデバイス６０の離間したノッチ６４の中に挿入されるように上側周囲リム４６から外向きに突出する脚（図示せず）を有するカニューレ挿入チャンバ４４を含むＡＶＧ４０に対して適応可能である。使用において、アプリケータデバイス６０は、脚がノッチ６４内に嵌合するようにカニューレ挿入チャンバ４４の上にデバイスを位置決めすることによってＡＶＧ４０に対して適応される。この配置では、アプリケータデバイス６０は、カニューレ挿入チャンバ４４の位置を示し、ユーザは、次に、ニードルの挿入のためのデバイスの長さに沿った望ましい場所を選択することができる。
【００２８】
別の実施形態では、血管アクセスグラフト４０は、図５Ａに示すように、カニューレ挿入チャンバ４４の上に１又は２以上の明確な部位を生成する１又は２以上の固定可能に位置決めされた磁性、常磁性、又は強磁性材料７０を含む。図示の実施形態では、磁性又は常磁性部位は、カニューレ挿入チャンバ４４の上面上の周囲リム４６に沿って周方向に配置される。この配置は、ニードル穿刺を受け入れるように構成されたカニューレ挿入チャンバ４４のポート４７の境界を実質的に定める。移植に続いて、カニューレ挿入チャンバ４４は、移植部位の近くの患者の皮膚の面にわたって磁石を通過させることによって患者の身体内に位置付けることができ、それによってカニューレ挿入中に血管アクセスグラフトのニードルアクセス又は穿刺のための最適部位を磁石が本質的に識別することを可能にする。
【００２９】
１又は２以上の磁石を含むロケータ又は検出器（図示せず）は、移植グラフトを位置付けてニードル挿入及びアクセスのためのカニューレ挿入チャンバ４４を識別するために使用することができる。ロケータ又は「ワンド」は、移植グラフトに近いと考えられる皮膚の上を通される。ワンドは、次に、カニューレ挿入チャンバ４４、又はカニューレ挿入が最適に行われるべき移植グラフト内、移植グラフト上、又はその周りの１又は２以上の部位を識別して位置付けるのに使用される。磁石含有検出器の「局在化する」機能は、血管アクセスグラフトへの損傷を最小にしながら適正なカニューレ挿入部位を見つけることを容易にすることができる。カニューレ挿入チャンバ４４は、インプラントに近い領域で皮膚の面にわたってワンドを通すことによって高度な正確性及び精度で皮膚を通して局在化可能である。これは、１又は２以上の磁性材料部位の存在によって定められるようなポート４７領域での少なくとも１又は２以上の選択された場所に対してユーザがニードル挿入又はカニューレ挿入を行うことを可能にする。これは、ＲＦＩＤタグ、すなわち、近赤外線光／可視光分光法又は当業技術で公知の他の方法によって検出されると考えられる特定の材料の集中を通じて移植ＡＶＧを検出するための用途に拡張することが可能である。
【００３０】
あらゆる適切なサイズの磁石を使用することができるが、例示的磁石は、ネオジウム鉄ボロン（ＮｄＦｅＢ）の円筒形をした（例えば、「ボタン」）磁石を含む。ある一定の実施形態では、磁石は、１又は２以上の保護層で被覆されて最大保護及び耐久性を容易にすることができる。好ましくは、本発明の開示の医療デバイスの形成に使用される常磁性材料は、鉄、鋼、コバルト、ニッケル、セラミック材料、外科等級鋼、又はそれらの合金又は組合せを含み、それから本質的に構成され、又はそれから構成され。これに代えて、本発明の開示の医療デバイスの形成に使用する材料は、例えば、超常磁性金属酸化物ナノ粒子（例えば、超常磁性酸化鉄ナノ粒子［ＳＰＩＯ］）［例えば、Ｊｉ他（２００７）を参照］を含む超常磁性材料を含み、それから本質的に構成され、又はそれから構成される場合がある。
【００３１】
カニューレ挿入チャンバ４４のリム４６の周りに離間した磁石部位７０の数は、あらゆる実質的な数のものとすることができる。血管アクセスグラフトは、グラフト１０の長手軸線の相当な部分に沿って等距離に配置された２から約８又は１０までの磁石部位を含むように意図している。本発明の開示のアクセスデバイス、グラフト、及び血管アクセスポートと共に使用するための例示的磁石は、好ましくは、以下に限定されないが、アルミニウム、ホウ素、コバルト、銅、鉄、ネオジム、ニッケル、サマリウム、チタン、又は以下に限定されないがＮｄＦｅＢ、ＡｌＮｉ、ＡｌＣｏＭａｘ、ＡｌＮｉＣｏ、及びＴｉＣｏｎＡｌなどのような以下に限定されないが市販の永久合金磁石を含むそれらの組合せ又は合金を含むものを含むセラミック、ランタニド、常磁性、強磁性、又は強磁性材料を含み、それから本質的に構成され、又はこれに代えてそれから構成される。
【００３２】
使用において、ユーザは、移植血管アクセスグラフト４０上の皮膚にわたって検出器「ワンド」を置く。ワンド上の磁石は、移植血管アクセスグラフトのカニューレ挿入チャンバ４４の面の磁石部位を検出してそれを局在化する。ニードルは、ワンドによって識別されるようなカニューレ挿入チャンバ４４のポート４７の中に皮膚を通して挿入される。移植に続く血管アクセスグラフト４０の局在化及び識別は、カニューレ挿入チャンバ４４と共に含まれる１又は２以上の磁性材料部位７０の存在によって容易にされる。
【００３３】
代替配置では、取り付けられたアプリケータデバイスの第３の実施形態は図５Ｂに示されており、全体が８０で指定されている。この実施形態では、磁石８２は、カニューレ挿入チャンバ４４のリム４６上の磁石７０に位置合わせするためにアプリケータデバイス８０の内周面上に設けられる。アプリケータデバイス及び皮下グラフトは、磁石に加えて又はその代替として対話のための他の手段を含むことができることは理解される。そのような対話手段は、アプリケータデバイス、ＡＶＧ、又は両方の上にセンサを含むことができる。センサは、位置合わせを信号送信するために対話することができ、又はワンドを上述のように使用することができる。アプリケータデバイスは、信号のための光を含むことができる。皮下カニューレ挿入チャンバはまた、赤外線のようなある一定の波長の下で蛍光を発することができる。対話はまた、アプリケーションデバイス及びカニューレ挿入チャンバが接続された時の可聴クリックのように機械的である場合がある。
【００３４】
ここで図６を参照すると、複数のアプリケータデバイス８０が示されている。各アプリケータデバイス８０は、アプリケータデバイス８０を通して異なる位置に形成されたニードル通路８４を有する。本発明の装置及び方法により、ユーザは、各血液透析治療につき１つで順番に各アプリケータデバイス８０を使用することになる。ニードル通路８４は、カニューレ挿入チャンバ４４の周りの異なる場所でユーザがニードルを挿入することを保証するように様々な位置にある。図７に示すように、ニードル通路８４は、アプリケータデバイス８０の面に対して直角でない角度で延びることができる。この配置では、ニードルは、ポート４７の材料への損傷を最小にするようにポート４７を通る。図８Ａ及び８Ｂは、アプリケータデバイスのための分配容器の実施形態を示している。分配容器は、好ましくは、ニードル通路の適切な間隔を提供するシーケンスでアプリケータデバイスを保持してカニューレ挿入部位の周りの分配を可能にし、これは、ニードル穿刺間の修復を促進してグラフトの寿命を延ばす。
【００３５】
別の実施形態では、アプリケータデバイスは、図９及び１０に示されて全体が９０で指定されているようなシート又はスティッカーを含む。スティッカー９０は、平面の上面９２、下面９４、及びスティッカーの下面上に負荷された接着剤を含む薄いほぼ矩形の要素である。スティッカー９０は、血管アクセスグラフト４０のカニューレ挿入のための場所を示すために皮膚３０の面に解除可能に接着することができる。スティッカー９０は、中心に配置された開口部９６を定める。図９に示すような開口部９６は、ほぼ細長い長円形形状を有する。開口部９６の形状はそれほど重要ではないが、実際には、開口部９６は、スティッカー９０及びＡＶＧの位置合わせのためにＡＶＧの特徴部に対応すべきである。図示の実施形態では、スティッカー９０内の開口部９６の形状は、カニューレ挿入チャンバ４４のサイズ及び形状に対応する。スティッカー９０は、スティッカーが皮膚３０の面及び皮膚の下のＡＶＧ４０のあらゆる曲率に適合することを可能にする柔軟な可撓性材料を含むことができる。従って、皮膚及び皮膚の下のあらゆる隆起の曲率は、スティッカーの使用に影響を与えることなく変化する場合がある。
【００３６】
スティッカーの底面９４は、スティッカーを血管アクセスグラフト４０の上の皮膚３０に除去可能に接着するための接着剤の層を含む。多くのタイプの接着剤は、接着剤が皮膚へのスティッカー９０の強固な結合を可能にする限りスティッカー９０と共に使用するのに適切である。接着剤はまた、使用後にスティッカー９０の容易な取り出しを可能にすべきである。接着剤は、好ましくは、スティッカー９０の底面９４に付加された感圧接着剤である。広範なそのような接着剤は市販されている。一実施形態では、スティッカー９０の底面９４の縁部の一部分は、スティッカーのその部分が皮膚３０に接着することを防止するように接着剤を欠く場合がある。この構成は、皮膚３０からスティッカーを取り外すためにスティッカー９０をユーザが把持する場所を提供する。接着剤は、好ましくは、辞去する時に皮膚３０上に残留物を何も残さない。
【００３７】
スティッカー９０は、血管アクセスグラフト４０のカニューレ挿入チャンバ４４を受け入れるのに十分なあらゆるサイズとすることができるが、スティッカー９０と皮膚３０の間に強固な結合を提供するのに十分に大きい接着剤被覆面積を提供する。一実施形態では、スティッカー９０は、スティッカー９０が血管アクセスグラフト４０の上に置かれた時にチャンバを完全に取り囲むように外側周囲をカニューレ挿入チャンバ４４の外側周囲よりも大きくすることができる。代替形態として、スティッカー９０の底面９４の縁部領域のみを接着剤で被覆することができる。
【００３８】
スティッカー９０は、接着層の上のスティッカー９０の底面９４に除去可能に接着された保護裏当てを更に含むことができる。除去可能な保護裏当ては、使用前の不要な面へのスティッカー９０の接着を防止する。保護裏当ては、当業技術で公知であり、典型的には、シリコーン又はこれに代えて従順材料、例えば、ポリエチレン及びポリ塩化ビニルなどのような解除剤で処理した紙のような様々な材料を含む。除去可能な保護裏当ては、スティッカー９０と同じサイズ及び形状とすることができ、又はより大きくすることができる。上述の実施形態では、スティッカー９０は、接着剤なしの縁部の一部分を有し、ユーザは、スティッカー９０から裏当てを容易に除去するためにその部分を把持することができる。
【００３９】
使用において、保護裏当ては、接着剤を露出するためにスティッカー９０の底面９４から手動で取り外される。次に、スティッカー９０は、皮膚３０に取り付ける状態になっている。スティッカー９０は、開口部９６がカニューレ挿入チャンバ４４を実質的に取り囲むようにＡＶＧ４０にわたって皮膚上に位置決めされる。位置決めされた状態で、スティッカー９０を接着剤によって皮膚３０に適合させるように圧力が印加される。スティッカー９０が血管アクセスグラフト４０のカニューレ挿入チャンバ４４の周りの皮膚３０に固定された状態で、スティッカー９０は、ユーザがニードル挿入のための場所を決定することを可能にすることになる。従って、スティッカー９０は、ＡＶＧのカニューレ挿入場所を示すための手段を提供する有効な方法を提供する。
【００４０】
図１３及び１４に示す別の実施形態では、スティッカー９０は、皮膚３０からの除去時にばらばらになるようになっている場合がある。例えば、スティッカー９０の一部分は、低い引き裂き伝播抵抗を有する材料から構成することができる。接着剤をスティッカーのこの部分上に比較的強力に接着することと組み合わせて、スティッカーは、面から除去する時にばらばらになる。より具体的には、皮膚３０からスティッカー９０を除去することで、スティッカー９０を含む材料の一部は皮膚に留まることになる。皮膚に残されたスティッカーの一部は、検査マーク９８のような印しであり、人の目に容易に明らかであり、下に重なるＡＶＧ４０のニードル挿入のためのポイントを示している。次のスティッカー９０は、カニューレ挿入のために次の部位で皮膚３０上に検査マーク９８を残す。図１４に示す別の実施形態では、スティッカーが除去された時に境界マークは皮膚に留まることができ、それによってカニューレ挿入チャンバの位置の表示を提供する。この実施形態による好ましいスティッカーは、これによりその内容が引用によって組み込まれる米国特許第４，２６８，９８３号明細書に示されており、これは、支持シートと支持シートに接着された脆弱な容易に引裂可能なフィルムとを含む接着ラベルを説明している。’９８３特許によるラベルがそれを付加した物品から除去される場合に、ラベルを含む脆弱フィルムの一部分は、引き裂かれて基板に接着されたままである。これによりその内容が引用によって組み込まれる米国特許第５，３５８，２８１号明細書は、除去された時に目に見える印しを含む面上のラベルの構成要素を残す接着ラベルを説明している。皮膚面に残された印しは、単語をつづる英数字とすることができることは理解される。これによりその内容が引用によって組み込まれる米国特許第４，１２１，００３号明細書はまた、ラベルの除去時の英数字の転写を説明しており、文字は、接着ラベルが面から切り離された時にラベルがそれ自体内で分裂し、それが接着された面上に部分的に留まる低い結合力の材料を含む。
【００４１】
図１２に示すような別の実施形態では、スティッカー９０は、開口部を含まない単体である。カニューレ挿入チャンバ４４を示すように構成されたスティッカー９０の一部分は、カニューレ挿入のために可能な部位を識別するためのセクションを含む。スティッカー９０の１つのセクション１０２は除去可能である。使用において、スティッカー９０は、ＡＶＧ４０の上で皮膚３０に付加される。カニューレ挿入部位の上のスティッカーのセクション１０２は、皮膚３０の面から剥離される。次に、露出された皮膚３０は、ニードル挿入のための部位として使用される。これによりその内容が引用によって組み込まれる米国特許第５，６３３，０５８号明細書は、裏当てフィルム及び印刷された印しに良好に係止する全域着色層を有するステッカーを貼られた裏当てフィルムに弱く係止された透明な印刷印しを説明している。着色層は、自己接着性組成物で被覆される。
【００４２】
移植ＡＶＧのカニューレ挿入ポイントを位置付けるためのアプリケータデバイスを位置決めするためのアプリケータデバイスと組み合わせて使用するための実施形態は図１５Ａ及び１５Ｂに示されており、全体が１１０で指定されている。組合せは、図１６に示すような腕であるユーザの身体の一部にアプリケータデバイス１１６を固定するための１対の円形の可撓性ストラップ１１２を含む。アプリケータデバイス１１６は、ストラップ１１２を受け入れるために各端部に溝１１４を有する。使用において、アプリケータデバイス１１６は、上述のように、カニューレ挿入チャンバ４４の上に位置決めされる。次に、ストラップ１１２は、次のニューレ挿入のために定位置にアプリケータデバイスを固定する。この配置の１つの利点は、血液透析及びニードルの除去に続いて、ストラップ１１２が腕に対してアプリケータデバイス１１６を押圧し、出血を止めるのを支援する圧力を提供することである。
【００４３】
ストラップ１１２を使用して動静脈グラフトのカニューレ挿入を誘導するための装置及び方法の別の実施形態は図１７に示されている。この実施形態では、ストラップ１１２は、次のニューレ挿入のためにカニューレ挿入チャンバ４４を位置付けるための手段を提供する。ストラップ１１２の各々は、２つの周方向に離間したノッチ１１８を内面１１２に有する。ノッチ１１８は、患者のＡＶＧ４０の上に置かれた時に１対のカニューレ挿入チャンバ４４の端部を受け入れるように構成される。一緒に、ストラップ１１２は、カニューレ挿入のための場所を識別する際にユーザを支援するためにカニューレ挿入チャンバ４４の端部をユーザに示す。ストラップ１１２は、カニューレ挿入チャンバ４４を係止してデバイスのあらゆる移動を防止するように機能する。このようにして、デバイスは、いずれの端部上でもカニューレ挿入チャンバに固定することができる。
【００４４】
ここで図１８を参照すると、血管アクセスグラフト４０のカニューレ挿入のための場所を決定するためのアプリケータデバイスの更に別の実施形態が示されて全体が１３０で指定されている。この実施形態では、アプリケータデバイス１３０は、腕の上を摺動するためのスリーブ１３２である。スリーブ１３２は、スリーブ１３２が着用された時に腕の上に緊密に留まるように可撓性の弾性織物で作られる。スリーブ１３２は、ほぼ細長で長円形の形状を有する１対の周方向に離間した開口部１３４を定める。開口部１３４の形状はそれほど重要ではないが、実際に、開口部１３４は、開口部及びＡＶＧの位置合わせのためにＡＶＧ又はＡＶＧの特徴部の形状に対応しなければならない。図示の実施形態では、スリーブ１３２の開口部１３４の形状は、カニューレ挿入チャンバ４４のサイズ及び形状に対応する。
【００４５】
使用において、スリーブ１３２は、カニューレ挿入チャンバ４４の上の開口部を有して腕上に位置決めされる。次に、ユーザは、血管アクセスグラフト４０をカニューレ挿入することができる。更に別の実施形態では、スリーブ１３２内の開口部１３４の各々は、皮膚３０に隣接する材料の層を有するポケット１３６を形成する（図１９）。ポケット１３６は、ＡＶＧを位置付けてカニューレ挿入するのに使用するためのアプリケータデバイスを受け入れるように構成される（図２０）。
【００４６】
本明細書に説明するような血管アクセスグラフトのカニューレ挿入のための装置及び方法は、移植グラフト部位に常にかつ正確にアクセスしながらユーザが血液透析を行うことを可能にするための信頼できる手段の提供を含む多くの利点を有する。移植されたデバイスの位置を識別して局在化するための外部デバイスを使用することで、不正確なカニューレ挿入を低減し、身体内への外科的移植後の血管アクセスグラフトの開存性の増加を容易にする。より少ない誤ったニードル挿入及びカニューレ挿入間違いは、カニューレの不正確な挿入又は皮下グラフトの上の適切な挿入部位に「当てる」不適切又は繰り返しニードル穿刺の試みによって移植グラフトに損傷を与え、破壊し、又は変位させる機会を低減する。反復ニードル穿刺によって生じた累積損傷は、グラフト壁を弱くして仮性動脈瘤形成のための条件を生成する。ＡＶＧは、ほぼ３００のニードル穿刺を１年持続する。グラフトの全長にわたってニードル損傷を均等に分配するようにニードルローテーションを提供する本明細書に説明するような装置及び方法は、仮性動脈瘤形成を最小にするか又は遅らせるのを補助する。
【００４７】
本発明の装置は、カニューレ挿入部位の場所を追跡し、従って、適切なニードルローテーションが行われることを保証する。ニードルローテーションを容易にするように設計されたシステム又はシーケンスは、容易にされたカニューレ挿入シーケンスを用いて準拠を維持することにより、カニューレ挿入部位区域を通した適正なニードルローテーションを容易にする。
【００４８】
本発明はまた、患者又は医療職員の機能を高め、移植血管アクセスグラフトの配置を適正かつ正確に識別して適正な配置を保証する。血管アクセスグラフトは、例えば、Ｘ線、磁気共鳴画像化、及び／又はコンピュータ断層撮影（ＣＴ）を含む従来の医療撮像手段によって可視化することができる。
【００４９】
本発明は、その単に小数の例示的実施形態に関してかなり詳細に図示して説明したが、様々な修正、省略、及び追加を本発明の新しい教示及び利点から大きく逸脱することなく、特に上述の教示に照らして開示する実施形態に対して行うことができるので、本発明をこれらの実施形態に限定するように意図していないことは当業者によって理解しなければならない。例えば、本発明は、いくつかの血管アクセスデバイス及び用途に使用するのに適切である。従って、本発明者は、全てのそのような修正、省略、追加、及び均等物に特許請求の範囲によって定めるような本発明の精神及び範囲に含めることができるというステッカーを貼るように意図している。特許請求の範囲では、手段プラス機能条項は、本明細書に説明する構造に列挙した機能を果たすとして及び構造的均等物だけでなく同等構造体としてステッカーを貼るように意図している。すなわち、くぎ及びスクリューは、くぎが円筒面を使用して木製部品を互いに固定し、一方でスクリューが木製部品を固定する環境で螺旋面を使用するという点で構造的均等物ではない場合があるが、くぎ及びスクリューは、同等構造体である場合がある。
【符号の説明】
【００５０】
４０  血管アクセスグラフト
４４  カニューレ挿入チャンバ
４６  周囲リム
５０  アプリケータデバイス
５４  側壁又は脚
【図１】
2020512916.tif 000003
【図２】
2020512916.tif 000004
【図３】
2020512916.tif 000005
【図４】
2020512916.tif 000006
【図５Ａ】
2020512916.tif 000007
【図５Ｂ】
2020512916.tif 000008
【図６】
2020512916.tif 000009
【図７】
2020512916.tif 000010
【図８Ａ】
2020512916.tif 000011
【図８Ｂ】
2020512916.tif 000012
【図９】
2020512916.tif 000013
【図１０】
2020512916.tif 000014
【図１１Ａ】
2020512916.tif 000015
【図１１Ｂ】
2020512916.tif 000016
【図１２】
2020512916.tif 000017
【図１３】
2020512916.tif 000018
【図１４】
2020512916.tif 000019
【図１５Ａ】
2020512916.tif 000020
【図１５Ｂ】
2020512916.tif 000021
【図１６】
2020512916.tif 000022
【図１７】
2020512916.tif 000023
【図１８】
2020512916.tif 000024
【図１９】
2020512916.tif 000025
【図２０】
2020512916.tif 000026
【国際調査報告】
2020512916.tif 000027
2020512916.tif 000028
2020512916.tif 000029
2020512916.tif 000030
2020512916.tif 000031
2020512916.tif 000032